【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
冷媒を圧縮して吐出する圧縮機（１１）と、
前記圧縮機から吐出された冷媒を放熱させる放熱器（１２）と、
前記放熱器から流出した冷媒を減圧させるノズル部（１５ａ）から噴射された噴射冷媒の吸引作用によって冷媒吸引口（１５ｃ）から冷媒を吸引し、前記噴射冷媒と前記冷媒吸引口から吸引された吸引冷媒とを混合させて昇圧させる昇圧部（１５ｄ）を有するエジェクタ（１５）と、
冷媒を蒸発させて前記冷媒吸引口側へ流出させる蒸発器（１９）と、
前記放熱器にて放熱した冷媒を、前記ノズル部を迂回させて前記蒸発器の冷媒出口よりも上流側へ導く迂回通路（２０）と、
前記迂回通路を介して前記蒸発器へ流入する冷媒を減圧させる減圧部（３４ａ）と、
前記放熱器にて放熱した冷媒を前記ノズル部側へ導く第１冷媒通路（３０ｂ）を開閉するとともに、前記放熱器にて放熱した冷媒を前記迂回通路側へ導く第２冷媒通路（３０ｃ）を開閉する回路切替弁（１３）と、を備え、
前記回路切替弁は、前記第１冷媒通路および前記第２冷媒通路のいずれか一方を開いた際に他方を閉じる機械的機構で構成されており、
さらに、前記回路切替弁は、前記圧縮機の吐出口側の冷媒圧力から吸入口側の冷媒圧力を減算した前後差圧（ΔＰｃ）が予め定めた基準前後差圧（ＫΔＰｃ）よりも低くなっている際には、前記第２冷媒通路を開き、前記回路切替弁の上流側の冷媒の高圧側圧力（ＰＨ）から前記減圧部の下流側の冷媒の低圧側圧力（ＰＬ）を減算した圧力差（ΔＰ）が予め定めた基準圧力差（ＫΔＰ）以上となっている際には、前記第１冷媒通路を開くとともに前記第２冷媒通路を閉じ、さらに、前記圧力差（ΔＰ）が前記基準圧力差（ＫΔＰ）よりも低くなっている際には、前記第１冷媒通路を閉じるとともに前記第２冷媒通路を開くものであり、
前記回路切替弁は、前記第１冷媒通路および前記第２冷媒通路が形成されたボデー（３１）、前記第１冷媒通路および前記第２冷媒通路を開閉する弁体部（３２）、前記弁体部に連結されて前記弁体部よりも冷媒流れ下流側に配置される受圧部（３４）、および前記弁体部に対して荷重をかける弾性部材（３３）を有し、
前記受圧部には、前記減圧部の入口側冷媒の入口側圧力（Ｐｒｉ）と前記減圧部の出口側冷媒の出口側圧力（Ｐｒｏ）との差圧が作用しており、
前記弾性部材は、前記弁体部に対して前記弁体部が前記第１冷媒通路を閉じるとともに前記第２冷媒通路を開く側に荷重をかけるものであり、
前記弁体部が前記第２冷媒通路を閉じた際に、前記弁体部のうち前記高圧側圧力（ＰＨ）と前記減圧部の入口側冷媒の入口側圧力（Ｐｒｉ）との差圧が作用する面積を第１受圧面積（Ａ１）と定義し、
前記受圧部のうち前記入口側圧力（Ｐｒｉ）と前記減圧部の出口側冷媒の出口側圧力（Ｐｒｏ）との差圧が作用する面積を第２受圧面積（Ａ２）と定義し、
前記圧力差（ΔＰ）が前記基準圧力差（ＫΔＰ）となった際の前記弾性部材が前記弁体部に作用させる荷重を第１セット荷重（Ｆｓｐ１）と定義したときに、
Ａ１＞Ａ２
となっており、
Ａ１×ＫΔＰ＞Ｆｓｐ１、かつ、Ｆｓｐ１＞Ａ２×ＫΔＰ
となっているエジェクタ式冷凍サイクル。
【請求項２】
前記減圧部は、前記受圧部に形成されている請求項１に記載のエジェクタ式冷凍サイクル。
【請求項３】
前記受圧部のうち前記入口側圧力（Ｐｒｉ）と前記減圧部の出口側冷媒の出口側圧力（Ｐｒｏ）との差圧が作用する面積を第２受圧面積（Ａ２）と定義し、
前記弁体部が前記第１冷媒通路を閉じた際に、前記弁体部のうち前記高圧側圧力（ＰＨ）と前記ノズル部の入口側のノズル側圧力（Ｐｎｏｚ）との差圧が作用する面積を第３受圧面積（Ａ３）と定義し、
前記弁体部が前記第１冷媒通路を閉じている際に前記弾性部材が前記弁体部に作用させる荷重を第２セット荷重（Ｆｓｐ２）と定義したときに、
Ａ２＞Ａ３
となっており、
Ｆｓｐ２＞（Ａ２−Ａ３）×ＫΔＰ、かつ、Ａ２×ＫΔＰ＞Ｆｓｐ２
となっている請求項１または２に記載のエジェクタ式冷凍サイクル。
【請求項４】
冷媒を圧縮して吐出する圧縮機（１１）と、
前記圧縮機から吐出された冷媒を放熱させる放熱器（１２）と、
前記放熱器から流出した冷媒を減圧させるノズル部（１５ａ）から噴射された噴射冷媒の吸引作用によって冷媒吸引口（１５ｃ）から冷媒を吸引し、前記噴射冷媒と前記冷媒吸引口から吸引された吸引冷媒とを混合させて昇圧させる昇圧部（１５ｄ）を有するエジェクタ（１５）と、
冷媒を蒸発させて前記冷媒吸引口側へ流出させる蒸発器（１９）と、
前記放熱器にて放熱した冷媒を、前記ノズル部を迂回させて前記蒸発器の冷媒出口よりも上流側へ導く迂回通路（２０）と、
前記迂回通路を介して前記蒸発器へ流入する冷媒を減圧させる減圧部（３４ａ）と、
前記放熱器にて放熱した冷媒を前記ノズル部側へ導く第１冷媒通路（３０ｂ）を開閉するとともに、前記放熱器にて放熱した冷媒を前記迂回通路側へ導く第２冷媒通路（３０ｃ）を開閉する回路切替弁（１３）と、を備え、
前記回路切替弁は、前記第１冷媒通路および前記第２冷媒通路のいずれか一方を開いた際に他方を閉じる機械的機構で構成されており、
さらに、前記回路切替弁は、前記圧縮機の吐出口側の冷媒圧力から吸入口側の冷媒圧力を減算した前後差圧（ΔＰｃ）が予め定めた基準前後差圧（ＫΔＰｃ）よりも低くなっている際には、前記第２冷媒通路を開き、前記回路切替弁の上流側の冷媒の高圧側圧力（ＰＨ）から前記減圧部の下流側の冷媒の低圧側圧力（ＰＬ）を減算した圧力差（ΔＰ）が予め定めた基準圧力差（ＫΔＰ）以上となっている際には、前記第１冷媒通路を開くとともに前記第２冷媒通路を閉じ、さらに、前記圧力差（ΔＰ）が前記基準圧力差（ＫΔＰ）よりも低くなっている際には、前記第１冷媒通路を閉じるとともに前記第２冷媒通路を開くものであり、
前記回路切替弁は、前記第１冷媒通路および前記第２冷媒通路が形成されたボデー（３１）、前記第１冷媒通路および前記第２冷媒通路を開閉する弁体部（３２）、前記弁体部に連結されて前記弁体部よりも冷媒流れ下流側に配置される受圧部（３４）、および前記弁体部に対して荷重をかける弾性部材（３３）を有し、
前記受圧部のうち前記入口側圧力（Ｐｒｉ）と前記減圧部の出口側冷媒の出口側圧力（Ｐｒｏ）との差圧が作用する面積を第２受圧面積（Ａ２）と定義し、
前記弁体部が前記第１冷媒通路を閉じた際に、前記弁体部のうち前記高圧側圧力（ＰＨ）と前記ノズル部の入口側のノズル側圧力（Ｐｎｏｚ）との差圧が作用する面積を第３受圧面積（Ａ３）と定義し、
前記弁体部が前記第１冷媒通路を閉じている際に前記弾性部材が前記弁体部に作用させる荷重を第２セット荷重（Ｆｓｐ２）と定義したときに、
Ａ２＞Ａ３
となっており、
Ｆｓｐ２＞（Ａ２−Ａ３）×ＫΔＰ、かつ、Ａ２×ＫΔＰ＞Ｆｓｐ２
となっているエジェクタ式冷凍サイクル。
【請求項５】
冷媒を圧縮して吐出する圧縮機（１１）と、
前記圧縮機から吐出された冷媒を放熱させる放熱器（１２）と、
前記放熱器から流出した冷媒を減圧させるノズル部（１５ａ）から噴射された噴射冷媒の吸引作用によって冷媒吸引口（１５ｃ）から冷媒を吸引し、前記噴射冷媒と前記冷媒吸引口から吸引された吸引冷媒とを混合させて昇圧させる昇圧部（１５ｄ）を有するエジェクタ（１５）と、
冷媒を蒸発させて前記冷媒吸引口側へ流出させる蒸発器（１９）と、
前記放熱器にて放熱した冷媒を、前記ノズル部を迂回させて前記蒸発器の冷媒出口よりも上流側へ導く迂回通路（２０）と、
前記迂回通路を介して前記蒸発器へ流入する冷媒を減圧させる減圧部（３４ａ）と、
前記放熱器にて放熱した冷媒を前記ノズル部側へ導く第１冷媒通路（４０ｂ）を開閉するとともに、前記放熱器にて放熱した冷媒を前記迂回通路側へ導く第２冷媒通路（４０ｃ）を開閉する回路切替弁（２４）と、を備え、
前記回路切替弁は、前記第１冷媒通路および前記第２冷媒通路のいずれか一方を開いた際に他方を閉じる機械的機構で構成されており、
さらに、前記回路切替弁は、前記圧縮機の吐出口側の冷媒圧力から吸入口側の冷媒圧力を減算した前後差圧（ΔＰｃ）が予め定めた基準前後差圧（ＫΔＰｃ）よりも低くなっている際には、前記第２冷媒通路を開き、前記回路切替弁の上流側の冷媒の高圧側圧力（ＰＨ）が予め定めた基準高圧側圧力（ＫＰＨ）以上となっている際には、前記第１冷媒通路を開くとともに前記第２冷媒通路を閉じ、さらに、前記高圧側圧力（ＰＨ）が前記基準高圧側圧力（ＫＰＨ）より低くなっている際には、前記第１冷媒通路を閉じるとともに前記第２冷媒通路を開くものであり、
前記回路切替弁は、前記放熱器にて放熱した冷媒を流入させる流入通路（４０ａ）が形成されたボデー（４１）、前記第１冷媒通路を開閉する第１弁体部（４２）、前記第１弁体部を変位させる第１駆動機構（４４）、前記第２冷媒通路を開閉する第２弁体部（４５）、および前記第２弁体部を変位させる第２駆動機構（４７）とを有し、
前記第１冷媒通路および前記第２冷媒通路は、前記ボデーに形成されており、
前記第１駆動機構は、予め定めた基準封入圧力となるように気体が封入される第１封入空間（４４ｃ）を形成する第１空間形成部材（４４ａ）、および前記第１封入空間内の気体圧力と前記流入通路内の冷媒圧力との圧力差に応じて変位する第１圧力応動部材（４４ｂ）を有し、
前記第２駆動機構は、前記基準圧力となるように気体が封入される第２封入空間（４７ｃ）を形成する第２空間形成部材（４７ａ）、および前記第２封入空間内の気体圧力と前記流入通路内の冷媒圧力との圧力差に応じて変位する第２圧力応動部材（４７ｂ）を有しているエジェクタ式冷凍サイクル。
【請求項６】
前記第１弁体部は、前記流入通路と前記第１冷媒通路とを連通させる第１パイロット孔（４２ｂ）を有し、
前記第１圧力応動部材は、前記第１パイロット孔を開閉する第１作動棒（４２ａ）に連結されている請求項５に記載のエジェクタ式冷凍サイクル。
【請求項７】
前記第１封入空間と前記第２封入空間とを連通させる封入空間連通路（４１ｅ）を有している請求項５または６に記載のエジェクタ式冷凍サイクル。
【請求項８】
冷媒を圧縮して吐出する圧縮機（１１）と、
前記圧縮機から吐出された冷媒を放熱させる放熱器（１２）と、
前記放熱器から流出した冷媒を減圧させるノズル部（１５ａ）から噴射された噴射冷媒の吸引作用によって冷媒吸引口（１５ｃ）から冷媒を吸引し、前記噴射冷媒と前記冷媒吸引口から吸引された吸引冷媒とを混合させて昇圧させる昇圧部（１５ｄ）を有するエジェクタ（１５）と、
冷媒を蒸発させて前記冷媒吸引口側へ流出させる蒸発器（１９）と、
前記放熱器にて放熱した冷媒を、前記ノズル部を迂回させて前記蒸発器の冷媒出口よりも上流側へ導く迂回通路（２０）と、
前記迂回通路を介して前記蒸発器へ流入する冷媒を減圧させる減圧部（３４ａ）と、
前記放熱器にて放熱した冷媒を前記ノズル部側へ導く第１冷媒通路（５０ｂ）を開閉するとともに、前記放熱器にて放熱した冷媒を前記迂回通路側へ導く第２冷媒通路（５０ｃ）を開閉する回路切替弁（２５）と、を備え、
前記回路切替弁は、前記第１冷媒通路および前記第２冷媒通路のいずれか一方を開いた際に他方を閉じる機械的機構で構成されており、
さらに、前記回路切替弁は、前記圧縮機の吐出口側の冷媒圧力から吸入口側の冷媒圧力を減算した前後差圧（ΔＰｃ）が予め定めた基準前後差圧（ＫΔＰｃ）よりも低くなっている際には、前記第２冷媒通路を開き、前記回路切替弁の上流側の冷媒の高圧側圧力（ＰＨ）が予め定めた基準高圧側圧力（ＫＰＨ）以上となっている際には、前記第１冷媒通路を開くとともに前記第２冷媒通路を閉じ、さらに、前記高圧側圧力（ＰＨ）が前記基準高圧側圧力（ＫＰＨ）より低くなっている際には、前記第１冷媒通路を閉じるとともに前記第２冷媒通路を開くものであり、
前記回路切替弁は、前記放熱器にて放熱した冷媒を流入させる流入通路（５０ａ）が形成されたボデー（５１）、前記第１冷媒通路を開閉する第１弁体部（５２）、前記第２冷媒通路を開閉する第２弁体部（５５）、並びに、前記第１弁体部および前記第２弁体部の双方を変位させる共用駆動機構（５７）とを有し、
前記第１冷媒通路および前記第２冷媒通路は、前記ボデーに形成されており、
前記共用駆動機構は、予め定めた基準圧力となるように気体が封入される共用封入空間（５７ｃ）を形成する共用空間形成部材（５７ａ）、前記共用空間形成部材内の気体圧力と前記流入通路内の冷媒圧力との差圧に応じて変位する共用圧力応動部材（５７ｂ）、前記共用圧力応動部材の変位を前記第１弁体部および前記第２弁体部の双方へ伝達する共用作動棒（５８）を有しているエジェクタ式冷凍サイクル。
【請求項９】
前記気体は、不活性ガスである請求項５ないし８のいずれか１つに記載のエジェクタ式冷凍サイクル。
【請求項１０】
さらに、前記昇圧部から流出した冷媒の気液を分離する気液分離部（１６）と、
冷媒が前記蒸発器の冷媒入口側から前記気液分離部の液相冷媒出口側へ流れること抑制する抑制機構（１７）と、を備え、
前記気液分離部の気相冷媒出口は、前記圧縮機の吸入口側に接続されており、
前記液相冷媒出口は、前記蒸発器の冷媒入口側に接続されている請求項１ないし９のいずれか１つに記載のエジェクタ式冷凍サイクル。
【手続補正２】
【補正対象書類名】明細書
【補正対象項目名】００１３
【補正方法】変更
【補正の内容】
【００１３】
上記目的を達成するため、請求項１に記載の発明は、冷媒を圧縮して吐出する圧縮機（１１）と、圧縮機から吐出された冷媒を放熱させる放熱器（１２）と、放熱器から流出した冷媒を減圧させるノズル部（１５ａ）から噴射された噴射冷媒の吸引作用によって冷媒吸引口（１５ｃ）から冷媒を吸引し、噴射冷媒と冷媒吸引口から吸引された吸引冷媒とを混合させて昇圧させる昇圧部（１５ｄ）を有するエジェクタ（１５）と、冷媒を蒸発させて冷媒吸引口側へ流出させる蒸発器（１９）と、放熱器にて放熱した冷媒を、ノズル部を迂回させて蒸発器の冷媒出口よりも上流側へ導く迂回通路（２０）と、迂回通路を介して蒸発器へ流入する冷媒を減圧させる減圧部（３４ａ）と、放熱器にて放熱した冷媒をノズル部側へ導く第１冷媒通路（３０ｂ）を開閉するとともに、放熱器にて放熱した冷媒を迂回通路側へ導く第２冷媒通路（３０ｃ）を開閉する回路切替弁（１３）と、を備え、
回路切替弁は、第１冷媒通路および第２冷媒通路のいずれか一方を開いた際に他方を閉じる機械的機構で構成されており、
さらに、回路切替弁は、圧縮機の吐出口側の冷媒圧力から吸入口側の冷媒圧力を減算した前後差圧（ΔＰｃ）が予め定めた基準前後差圧（ＫΔＰｃ）よりも低くなっている際には、第２冷媒通路を開き、回路切替弁の上流側の冷媒の高圧側圧力（ＰＨ）から減圧部の下流側の冷媒の低圧側圧力（ＰＬ）を減算した圧力差（ΔＰ）が予め定めた基準圧力差（ＫΔＰ）以上となっている際には、第１冷媒通路を開くとともに第２冷媒通路を閉じ、さらに、圧力差（ΔＰ）が基準圧力差（ＫΔＰ）よりも低くなっている際には、第１冷媒通路を閉じるとともに第２冷媒通路を開くものであり、
回路切替弁は、第１冷媒通路および第２冷媒通路が形成されたボデー（３１）、第１冷媒通路および第２冷媒通路を開閉する弁体部（３２）、弁体部に連結されて弁体部よりも冷媒流れ下流側に配置される受圧部（３４）、および弁体部に対して荷重をかける弾性部材（３３）を有し、
受圧部には、減圧部の入口側冷媒の入口側圧力（Ｐｒｉ）と減圧部の出口側冷媒の出口側圧力（Ｐｒｏ）との差圧が作用しており、弾性部材は、弁体部に対して弁体部が第１冷媒通路を閉じるとともに第２冷媒通路を開く側に荷重をかけるものであり、
弁体部が第２冷媒通路を閉じた際に、弁体部のうち高圧側圧力（ＰＨ）と減圧部の入口側冷媒の入口側圧力（Ｐｒｉ）との差圧が作用する面積を第１受圧面積（Ａ１）と定義し、受圧部のうち入口側圧力（Ｐｒｉ）と減圧部の出口側冷媒の出口側圧力（Ｐｒｏ）との差圧が作用する面積を第２受圧面積（Ａ２）と定義し、圧力差（ΔＰ）が基準圧力差（ＫΔＰ）となった際の弾性部材が弁体部に作用させる荷重を第１セット荷重（Ｆｓｐ１）と定義したときに、
Ａ１＞Ａ２
となっており、
Ａ１×ＫΔＰ＞Ｆｓｐ１、かつ、Ｆｓｐ１＞Ａ２×ＫΔＰ
となっているエジェクタ式冷凍サイクルである。
【手続補正３】
【補正対象書類名】明細書
【補正対象項目名】００１９
【補正方法】変更
【補正の内容】
【００１９】
従って、サイクルの起動時には、第２冷媒通路側が開き、放熱器（１２）にて放熱した冷媒を、迂回通路（２０）を介して蒸発器（１９）へ流入させる、通常の冷凍サイクル（いわゆる、環状サイクル）を形成することができる。従って、サイクルの起動時に、蒸発器（１９）内に滞留している冷凍機油を圧縮機（１１）へ戻しやすい。
また、請求項４に記載の発明は、冷媒を圧縮して吐出する圧縮機（１１）と、圧縮機から吐出された冷媒を放熱させる放熱器（１２）と、放熱器から流出した冷媒を減圧させるノズル部（１５ａ）から噴射された噴射冷媒の吸引作用によって冷媒吸引口（１５ｃ）から冷媒を吸引し、噴射冷媒と冷媒吸引口から吸引された吸引冷媒とを混合させて昇圧させる昇圧部（１５ｄ）を有するエジェクタ（１５）と、冷媒を蒸発させて冷媒吸引口側へ流出させる蒸発器（１９）と、放熱器にて放熱した冷媒を、ノズル部を迂回させて蒸発器の冷媒出口よりも上流側へ導く迂回通路（２０）と、迂回通路を介して蒸発器へ流入する冷媒を減圧させる減圧部（３４ａ）と、放熱器にて放熱した冷媒をノズル部側へ導く第１冷媒通路（３０ｂ）を開閉するとともに、放熱器にて放熱した冷媒を迂回通路側へ導く第２冷媒通路（３０ｃ）を開閉する回路切替弁（１３）と、を備え、
回路切替弁は、第１冷媒通路および第２冷媒通路のいずれか一方を開いた際に他方を閉じる機械的機構で構成されており、
さらに、回路切替弁は、圧縮機の吐出口側の冷媒圧力から吸入口側の冷媒圧力を減算した前後差圧（ΔＰｃ）が予め定めた基準前後差圧（ＫΔＰｃ）よりも低くなっている際には、第２冷媒通路を開き、回路切替弁の上流側の冷媒の高圧側圧力（ＰＨ）から減圧部の下流側の冷媒の低圧側圧力（ＰＬ）を減算した圧力差（ΔＰ）が予め定めた基準圧力差（ＫΔＰ）以上となっている際には、第１冷媒通路を開くとともに第２冷媒通路を閉じ、さらに、圧力差（ΔＰ）が基準圧力差（ＫΔＰ）よりも低くなっている際には、第１冷媒通路を閉じるとともに第２冷媒通路を開くものであり、
回路切替弁は、第１冷媒通路および第２冷媒通路が形成されたボデー（３１）、第１冷媒通路および第２冷媒通路を開閉する弁体部（３２）、弁体部に連結されて弁体部よりも冷媒流れ下流側に配置される受圧部（３４）、および弁体部に対して荷重をかける弾性部材（３３）を有し、
受圧部のうち入口側圧力（Ｐｒｉ）と減圧部の出口側冷媒の出口側圧力（Ｐｒｏ）との差圧が作用する面積を第２受圧面積（Ａ２）と定義し、弁体部が第１冷媒通路を閉じた際に、弁体部のうち高圧側圧力（ＰＨ）とノズル部の入口側のノズル側圧力（Ｐｎｏｚ）との差圧が作用する面積を第３受圧面積（Ａ３）と定義し、弁体部が第１冷媒通路を閉じている際に弾性部材が弁体部に作用させる荷重を第２セット荷重（Ｆｓｐ２）と定義したときに、
Ａ２＞Ａ３
となっており、
Ｆｓｐ２＞（Ａ２−Ａ３）×ＫΔＰ、かつ、Ａ２×ＫΔＰ＞Ｆｓｐ２
となっているエジェクタ式冷凍サイクルである。
これによれば、請求項１に記載の発明と同様の効果を得ることができる。
【手続補正４】
【補正対象書類名】明細書
【補正対象項目名】００２０
【補正方法】変更
【補正の内容】
【００２０】
さらに、請求項１、４に記載の発明では、回路切替弁（１３）として、回路切替弁（１３）の上流側の冷媒の高圧側圧力（ＰＨ）から減圧部（３４ａ）の下流側の冷媒の低圧側圧力（ＰＬ）を減算した圧力差（ΔＰ）が予め定めた基準圧力差（ＫΔＰ）以上となっている際には、第１冷媒通路（３０ｂ）を開くとともに第２冷媒通路（３０ｃ）を閉じ、さらに、圧力差（ΔＰ）が基準圧力差（ＫΔＰ）よりも低くなっている際には、第１冷媒通路（３０ｂ）を閉じるとともに第２冷媒通路（３０ｃ）を開くものを採用している。
【手続補正５】
【補正対象書類名】明細書
【補正対象項目名】００２２
【補正方法】変更
【補正の内容】
【００２２】
また、請求項５に記載の発明は、冷媒を圧縮して吐出する圧縮機（１１）と、圧縮機から吐出された冷媒を放熱させる放熱器（１２）と、放熱器から流出した冷媒を減圧させるノズル部（１５ａ）から噴射された噴射冷媒の吸引作用によって冷媒吸引口（１５ｃ）から冷媒を吸引し、噴射冷媒と冷媒吸引口から吸引された吸引冷媒とを混合させて昇圧させる昇圧部（１５ｄ）を有するエジェクタ（１５）と、冷媒を蒸発させて冷媒吸引口側へ流出させる蒸発器（１９）と、放熱器にて放熱した冷媒を、ノズル部を迂回させて蒸発器の冷媒出口よりも上流側へ導く迂回通路（２０）と、迂回通路を介して蒸発器へ流入する冷媒を減圧させる減圧部（３４ａ）と、放熱器にて放熱した冷媒をノズル部側へ導く第１冷媒通路（４０ｂ）を開閉するとともに、放熱器にて放熱した冷媒を迂回通路側へ導く第２冷媒通路（４０ｃ）を開閉する回路切替弁（２４）と、を備え、
回路切替弁は、第１冷媒通路および第２冷媒通路のいずれか一方を開いた際に他方を閉じる機械的機構で構成されており、
さらに、回路切替弁は、圧縮機の吐出口側の冷媒圧力から吸入口側の冷媒圧力を減算した前後差圧（ΔＰｃ）が予め定めた基準前後差圧（ＫΔＰｃ）よりも低くなっている際には、第２冷媒通路を開き、回路切替弁の上流側の冷媒の高圧側圧力（ＰＨ）が予め定めた基準高圧側圧力（ＫＰＨ）以上となっている際には、第１冷媒通路を開くとともに第２冷媒通路を閉じ、さらに、高圧側圧力（ＰＨ）が基準高圧側圧力（ＫＰＨ）より低くなっている際には、第１冷媒通路を閉じるとともに第２冷媒通路を開くものであり、
回路切替弁は、放熱器にて放熱した冷媒を流入させる流入通路（４０ａ）が形成されたボデー（４１）、第１冷媒通路を開閉する第１弁体部（４２）、第１弁体部を変位させる第１駆動機構（４４）、第２冷媒通路を開閉する第２弁体部（４５）、および第２弁体部を変位させる第２駆動機構（４７）とを有し、
第１冷媒通路および第２冷媒通路は、ボデーに形成されており、第１駆動機構は、予め定めた基準封入圧力となるように気体が封入される第１封入空間（４４ｃ）を形成する第１空間形成部材（４４ａ）、および第１封入空間内の気体圧力と流入通路内の冷媒圧力との圧力差に応じて変位する第１圧力応動部材（４４ｂ）を有し、第２駆動機構は基準圧力となるように気体が封入される第２封入空間（４７ｃ）を形成する第２空間形成部材（４７ａ）、および第２封入空間内の気体圧力と流入通路内の冷媒圧力との圧力差に応じて変位する第２圧力応動部材（４７ｂ）を有しているエジェクタ式冷凍サイクルである。
これによれば、請求項１に記載の発明と同様の効果を得ることができる。
また、請求項８に記載の発明は、冷媒を圧縮して吐出する圧縮機（１１）と、圧縮機から吐出された冷媒を放熱させる放熱器（１２）と、放熱器から流出した冷媒を減圧させるノズル部（１５ａ）から噴射された噴射冷媒の吸引作用によって冷媒吸引口（１５ｃ）から冷媒を吸引し、噴射冷媒と冷媒吸引口から吸引された吸引冷媒とを混合させて昇圧させる昇圧部（１５ｄ）を有するエジェクタ（１５）と、冷媒を蒸発させて冷媒吸引口側へ流出させる蒸発器（１９）と、放熱器にて放熱した冷媒を、ノズル部を迂回させて蒸発器の冷媒出口よりも上流側へ導く迂回通路（２０）と、迂回通路を介して蒸発器へ流入する冷媒を減圧させる減圧部（３４ａ）と、放熱器にて放熱した冷媒をノズル部側へ導く第１冷媒通路（５０ｂ）を開閉するとともに、放熱器にて放熱した冷媒を迂回通路側へ導く第２冷媒通路（５０ｃ）を開閉する回路切替弁（２５）と、を備え、
回路切替弁は、第１冷媒通路および第２冷媒通路のいずれか一方を開いた際に他方を閉じる機械的機構で構成されており、
さらに、回路切替弁は、圧縮機の吐出口側の冷媒圧力から吸入口側の冷媒圧力を減算した前後差圧（ΔＰｃ）が予め定めた基準前後差圧（ＫΔＰｃ）よりも低くなっている際には、第２冷媒通路を開き、回路切替弁の上流側の冷媒の高圧側圧力（ＰＨ）が予め定めた基準高圧側圧力（ＫＰＨ）以上となっている際には、第１冷媒通路を開くとともに第２冷媒通路を閉じ、さらに、高圧側圧力（ＰＨ）が基準高圧側圧力（ＫＰＨ）より低くなっている際には、第１冷媒通路を閉じるとともに第２冷媒通路を開くものであり、
回路切替弁は、放熱器にて放熱した冷媒を流入させる流入通路（５０ａ）が形成されたボデー（５１）、第１冷媒通路を開閉する第１弁体部（５２）、第２冷媒通路を開閉する第２弁体部（５５）、並びに、第１弁体部および第２弁体部の双方を変位させる共用駆動機構（５７）とを有し、
第１冷媒通路および第２冷媒通路は、ボデーに形成されており、共用駆動機構は、予め定めた基準圧力となるように気体が封入される共用封入空間（５７ｃ）を形成する共用空間形成部材（５７ａ）、共用空間形成部材内の気体圧力と流入通路内の冷媒圧力との差圧に応じて変位する共用圧力応動部材（５７ｂ）、共用圧力応動部材の変位を第１弁体部および第２弁体部の双方へ伝達する共用作動棒（５８）を有しているエジェクタ式冷凍サイクルである。
これによれば、請求項１に記載の発明と同様の効果を得ることができる。
さらに、請求項５、８に記載の発明では、回路切替弁（２４、２５）として、回路切替弁（２４、２５）の上流側の冷媒の高圧側圧力（ＰＨ）が予め定めた基準高圧側圧力（ＫＰＨ）以上となっている際には、第１冷媒通路（４０ｂ、５０ｂ）を開くとともに第２冷媒通路（４０ｃ、５０ｃ）を閉じ、さらに、高圧側圧力（ＰＨ）が基準高圧側圧力（ＫＰＨ）より低くなっている際には、第１冷媒通路（４０ｂ、５０ｂ）を閉じるとともに第２冷媒通路（４０ｃ、５０ｃ）を開くものを採用している。